(57)【要約】      （修正有）【課題】インソールの試着感覚を味わえ、また、使用者の足に適合したインソールを簡単に選択することができるインソール選択用試着装置を提供する。【解決手段】インソール試着台２１は、靴の内底部の足裏に向けて若干の膨らみを有するアーチ形状と靴の内周部の周壁形状を一体的に形成して靴の内側を再現したインソール載置部２２を備えている。また、インソール選択用試着装置２０は、インソール試着台２１と足型計測具２３とから構成される。【選択図】図２
0003157118.tif 000002
【実用新案登録請求の範囲】
【請求項１】
靴の内底部の足裏に向けて若干の膨らみを有するアーチ形状と靴の内周部の周壁形状を一体的に形成して靴の内側を再現したインソール載置部を備えており、そのインソール載置部の上に試着するインソールを置いて試着者が足を載せるだけで靴の中にインソールを装着したような使用感覚を体感することができるインソール試着台。
【請求項２】
請求項１に記載のインソール試着台と足型計測具とから構成されるインソール選択用試着装置であって、前記足型計測具は試着者の足形又は足長を計測する測定部を備え、その測定部により得られた足の測定情報に基づきインソールを選択することができると共に、前記インソール試着台に選択したインソールを置いて試着することができるインソール選択用試着装置。
【請求項３】
前記インソール試着台を複数個併設して足の症状別に分けた複数のインソールを配置し、前記測定部により得られた足形の測定情報に基づき試着者の足の症状に適したインソールを選択して試着することができる請求項２に記載のインソール選択用試着装置。
【請求項４】
前記インソール試着台を複数個併設して足のサイズ別に分けた複数のインソールを配置し、前記測定部により得られた足長の測定情報に基づき試着者の足のサイズに適したインソールを選択して試着することができる請求項２に記載のインソール選択用試着装置。
【考案の詳細な説明】
【技術分野】
【０００１】
本考案は、インソールの試着感覚を味わえるインソール試着台に関し、更にはインソール試着台と足型計測具を組み合わせることにより使用者の足に適合したインソールを簡単に選択することができるインソール選択用試着装置に関する。
【背景技術】
【０００２】
従来、インソールを購入する際にインソールを試着することができなかった。そのため、インソールが使用者の足に合っているか否かは実際に使用して体感してみなければ判断することが困難であった。
【０００３】
履物に関しては、例えば、特表２０００−５０２９１４号公報（特許文献１）には、靴のような一組のサンプル履物を利用し、サンプル靴は着用者に試着され最も良い適合性のものが選ばれる履物フィッティングシステムの発明が提案されている。この発明の目的は、着用者の足を型として使用する必要なく、履物の内部を注文通りにその場でモールディングすること、更には種々異なる内部の形状・サイズを有する所定の選択されたサンプル履物の中から着用者が履物を選ぶことに基づいて、優れたフィット感ないし適合性を与えることができるシステムおよび方法を提供することにある。
【０００４】
なお、足計測装置に関しては、例えば、特開２００９−４５２４４号公報（特許文献２）には、個人差や用途に応じて最適な形状のインソールの作製等が容易になる足計測装置の発明が提案されている。
【先行技術文献】
【特許文献】
【０００５】
【特許文献１】特表２０００−５０２９１４号公報
【特許文献２】特開２００９−４５２４４号公報
【考案の概要】
【考案が解決しようとする課題】
【０００６】
そこで、本考案は、先ずインソールを試着できる試着台に着目しインソールの試着感覚を味わえるインソール試着台を提供することを第１の課題とし、その試着台に足長と足形を計測できる仕組みを取り入れた装置にも着目し使用者の足に適合したインソールを簡単に選択することができるインソール選択用試着装置を提供すること第２の課題とする。
【課題を解決するための手段】
【０００７】
上記の第１の課題を解決するために、請求項１に記載のインソール試着台に係る考案は、靴の内底部の足裏に向けて若干の膨らみを有するアーチ形状と靴の内周部の周壁形状を一体的に形成して靴の内側を再現したインソール載置部を備えており、そのインソール載置部の上に試着するインソールを置いて試着者が足を載せるだけで靴の中にインソールを装着したような使用感覚を体感することができることを特徴とする。
【０００８】
上記の第２の課題を解決するために、請求項２に記載のインソール選択用試着装置に係る考案は、請求項１に記載のインソール試着台と足型計測具とから構成されるインソール選択用試着装置であって、前記足型計測具は試着者の足形又は足長を計測する測定部を備え、その測定部により得られた足の測定情報に基づきインソールを選択することができると共に、前記インソール試着台に選択したインソールを置いて試着することができることを特徴とする。
【０００９】
また、請求項３に記載のインソール選択用試着装置に係る考案は、請求項２に記載のインソール選択用試着装置において、前記インソール試着台を複数個併設して足の症状別に分けた複数のインソールを配置し、前記測定部により得られた足形の測定情報に基づき試着者の足の症状に適したインソールを選択して試着することができることを特徴とする。
【００１０】
また、請求項４に記載のインソール選択用試着装置に係る考案は、請求項２に記載のインソール選択用試着装置において、前記インソール試着台を複数個併設して足のサイズ別に分けた複数のインソールを配置し、前記測定部により得られた足長の測定情報に基づき試着者の足のサイズに適したインソールを選択して試着することができることを特徴とする。
【考案の効果】
【００１１】
以上のように、本考案のインソール試着台によれば、靴の内底部の足裏に向けて若干の膨らみを有するアーチ形状と靴の内周部の周壁形状を一体的に形成して靴の内側を再現したインソール載置部が設けられているので、インソールを靴の中に入れなくても、靴の中にインソールを入れたときの感覚を体感することができる。
また、本考案のインソール選択用試着装置によれば、測定部により得られた足の測定情報に基づき選択したインソールを試着することができるので、インソールを選択する時に必要な情報を得ることができ、より正確にインソールを選択することができる。
【図面の簡単な説明】
【００１２】
【図１】インソール試着台の一例を示す斜視図である。
【図２】インソール選択用試着装置の一例を示す平面図である。
【図３】図２に示すインソール選択用試着装置の斜視図である。
【図４】インソール選択用試着装置の使用方法の第１例を示す説明図である。
【図５】インソール選択用試着装置の使用方法の第２例を示す説明図である。
【図６】足型計測具に映し出された足型の例を示す説明図である。
【図７】症状別に分けた表示シールの例を示す説明図である。
【図８】サイズ別に分けた表示シールの例を示す説明図である。
【図９】足長を計測するメジャーの表示シールの例を示す説明図である。
【考案を実施するための形態】
【００１３】
以下、本考案の実施の形態について図面を参酌しながら説明する。なお、本考案にかかるインソール試着台及びインソール選択用試着装置は、以下の実施例に限定されるものではなく、内容及び形態等は使用状況によって適宜変更することができる。
【００１４】
図１は、インソール試着台の一例を示す斜視図である。
図１に示すように、インソール試着台１０は、試着するインソールを置くためのインソール載置部１１を備えている。このインソール載置部１１には、土踏まずから踵にかけての後方部分に相当する領域に靴の内底部の足裏に向けて若干の膨らみを有するアーチ形状１２と靴の内周部の周壁形状１３が一体的に形成され靴の内側が再現されている。このため、試着者がインソール載置部１１の上に試着したいインソールを置いて足を載せるだけで、靴の中にインソールを装着したような使用感覚を体感することができる。
なお、インソール試着台１０は、図に示す形状に限定されるものではなく、少なくとも靴の内底部のアーチ形状１２と靴の内周部の周壁形状１３を備えることにより靴の内側を再現できる形状であればよい。
【００１５】
図２は、インソール選択用試着装置の一例を示す平面図である。図３は、図２に示すインソール選択用試着装置の斜視図である。
図２及び図３に示すように、インソール選択用試着装置２０は、インソール試着台２１と足型計測具２３とから構成される。
インソール試着台２１は、上述した図１で示すような靴の内底部のアーチ形状と靴の内周部の周壁形状が一体的に形成され靴の内側を再現したインソール載置部２２を備えている。ここで、インソール試着台２２の設置個数は、図２及び図３に示す４個に限定されるものではなく１個〜複数個の試着台を任意に設置することができる。また、図２及び図３に示すインソール試着台２２は、右足用のものであるが左足用に変更することもできる。
次に、足型計測具２３は、試着者の足形又は足長を計測する測定部を備えている。この測定部は、例えば、温感液晶シートにより構成される。測定部の温感液晶シートには、図６に示すような足型、（Ａ）正常足、（Ｂ）外反母趾、（Ｃ）偏平足、（Ｄ）甲高・Ｏ脚、が映し出される。このように測定部により得られた足の測定情報に基づき足に適合したインソールを選択することができ、インソール試着台２１に選択したインソールを置いて試着することができる。
【００１６】
図４は、インソール選択用試着装置の使用方法の第１例を示す説明図である。
使用方法の第１例は、症状別（正常足／外反母趾／偏平足／甲高・Ｏ脚）のインソール（Ａ／Ｂ／Ｃ／Ｄ）を選択する例である。図７は、症状別に分けた表示シールの例を示す説明図である。図９は、足長を計測するメジャーの表示シールの例を示す説明図である。
以下、このインソール選択用試着装置の使用手順について説明する。
（１）温感液晶シートの上に足を置き、足長と足形を計測する。足長はメジャーの表示シール（図９参照）により測定する。
（２）温感液晶シートに映し出された足形に基づき右側のインソールを選択する。ここで、インソールを選択する際、症状別に分けた表示シール（図７参照）を参考にする。
（３）選択したインソールの上に足を載せ、自分の足に適合するか最終確認をする。
以上のように、インソール選択用試着装置では、インソールを靴の中に入れなくて、靴の中にインソールを装着した感覚を体感することができる。このため、靴にインソールを入れる手間を省くことができ、他人が使用したインソールを靴に入れないので衛生的であるといえる。
【００１７】
図５は、インソール選択用試着装置の使用方法の第２例を示す説明図である。
使用方法の第２例は、サイズ別（２３．０−２３．５ｃｍ／２４．０−２４．５ｃｍ／２５．０−２５．５ｃｍ／２６．０−２６．５ｃｍ）のインソール（Ｅ／Ｆ／Ｇ／Ｈ）を選択する例である。図８は、サイズ別に分けた表示シールの例を示す説明図である。図９は、足長を計測するメジャーの表示シールの例を示す説明図である。
以下、このインソール選択用試着装置の使用手順について説明する。
（１）温感液晶シートの上に足を置き、足長と足形を計測する。
（２）左側メジャー（図９参照）で足長を確認し、右側のインソールを選択する。ここで、インソールを選択する際、サイズ別に分けた表示シール（図８参照）を参考にする。
（３）選択したインソールの上に足を載せ、自分の足に適合するか最終確認をする。
以上のように、インソール選択用試着装置では、インソールを靴の中に入れなくて、靴の中にインソールを装着した感覚を体感することができる。このため、靴にインソールを入れる手間を省くことができ、他人が使用したインソールを靴に入れないので衛生的であるといえる。
【符号の説明】
【００１８】
１０  インソール試着台
１１  インソール載置部
１２  アーチ形状
１３  周壁形状
２０  インソール選択用試着装置
２１  インソール試着台
２２  インソール載置部
２３  足型計測具
【図１】
0003157118.tif 000003
【図２】
0003157118.tif 000004
【図３】
0003157118.tif 000005
【図４】
0003157118.tif 000006
【図５】
0003157118.tif 000007
【図６】
0003157118.tif 000008
【図７】
0003157118.tif 000009
【図８】
0003157118.tif 000010
【図９】
0003157118.tif 000011